(57)【要約】【課題】浴室内で使用するタオルを湿気や水滴から守り、濡らさない状態で配置でき、取付け及び取外しが容易であり、さらに入浴時に発生するヒートショック等の事故を防止する事が課題である。【解決手段】浴室またはシャワー室で使用するタオルケースであって、タオルケースは、本体部と、蓋体とを備えており、本体部は、開口部と、蓋体の隙間を密閉するシール材とを備えており、蓋体は本体部の開口部を開閉可能な状態で本体部に対して支持されているタオル収納ケースを提供する。【選択図】図１
2019093089.tif 000002
【特許請求の範囲】
【請求項１】
浴室またはシャワー室で使用するタオルケースであって、タオルケースは、本体部と、蓋体と備えており、
本体部は、開口部と、蓋体の隙間を密閉するシール材とを備えており、蓋体は本体部の開口部を開閉可能な状態で本体部に対して支持されているタオル収納ケース。
【請求項２】
入浴経過時間を知らせる報知器を更に備える請求項１に記載のタオル収納ケース。
【請求項３】
固定具を更に備える請求項１または請求項２記載のタオル収納ケース。
【発明の詳細な説明】
【技術分野】
【０００１】  本発明は住宅における浴室またはシャワー室で使用するタオル収納ケースに関する。
【背景技術】
【０００２】  入浴に関する近年の問題として、高齢者の入浴中の事故が年々増加している。浴槽浴室内などは密室となり、同居する家族が異変に気付く事が遅れ手遅れになってしまった事があった。【０００３】  住宅において入浴後身体の拭取りは通常脱衣所で行っている。特に寒い時期は暖かい浴室から脱衣所へ移動する際、寒暖差によるヒートショックなどの深刻な事故がある為、予め脱衣所には暖房設備を準備しておくことが有効である。【０００４】  一方、入浴後温まった身体で脱衣所に移動すること無く浴室内で拭いて済ませる方法がある。例えば、特許文献１の図５に示されている様に、シャワーヘッド保持具に浴室用物入れ具をセットしタオルをシャワーヘッド後方に置くことが知られている。
【先行技術文献】
【特許文献】
【０００５】
【特許文献１】特開２０１５−１０８２９０号公報
【発明の概要】
【本発明が解決しようとする課題】
【０００６】  しかし上記、特許文献１の方法では、持込んだタオルをシャワーヘッド後方の小物入れ上部に置くが、水滴や蒸気等で濡れてしまう事があった。またタオルを落下させ濡れてしまう事があった。シャワーヘッドを持つ時に濡れた手が当たりタオルを濡らしてしまう事があった。
【０００７】  また浴室用物入れ具等を利用せずタオルを浴室内に持込む事を試みたとしても、やはりタオルを濡らさずに置ける場所は見当たらない。やむなく脱衣所にタオルを置いて拭取りを済ますことが一般的であった。浴室と脱衣所の寒暖差を無くすためには脱衣所に暖房機器を準備する事や、リフォーム等で設備工事をする事も考えられる。しかしながら、その様な工事は高いコストがかかる。また公営住宅やアパートなど集合住宅の場合はそのような工事を簡単に実現出来ないケースもある。
【０００８】  そこで本発明は、浴室内で使用するタオルを湿気や水滴から守り、濡らさない状態で配置でき、取付け及び取外しが容易であり、さらに入浴時に発生するヒートショック等の事故を防止する事に役立つタオル収納ケースを提供する。
【課題を解決するための手段】
【０００９】  浴室またはシャワー室で使用するタオルケースであって、タオルケースは、本体部と、蓋体と備えており、本体部は、開口部と、蓋体の隙間を密閉するシール材とを備えており、蓋体は本体部の開口部を開閉可能な状態で本体部に対して支持されているタオル収納ケース。
【００１０】  上記タオル収納ケースは入浴経過時間を知らせる報知器を更に備える事が好ましい。これにより例えば、入浴者本人またはその者と同居している者に入浴経過時間を知らせ入浴中の事故を未然に防止する事ができる
【００１１】  上記のタオル収納ケースは固定具をさらに備える事が好ましい。これにより例えば、壁面や既設のタオル掛けにタオル収納ケースを取り付けて使用する事が出来る。
【本発明の効果】
【００１２】  このタオル収納ケースはシール材を備えているので浴室にタオル収納ケースを設置しても、ケース内に収納したタオルを濡らさずに使用可能とする事が出来る。入浴者は浴室内で身体を拭くことが出来るのでヒートショックによる事故を未然に防ぐことが出来る。
【図面の簡単な説明】
【００１４】
【図１】タオル収納ケースの使用状態を示す斜視図
【図２】図１に示したタオル収納ケースの正面図
【図３】図１に示したタオル収納ケースの側面図
【図４】図１に示したタオル収納ケースの蓋を開口した状態を示す側面図
【図５】既設のタオル掛けの斜視図
【図６】図１に示したタオル収納ケースを図５に示したタオル掛けにかけた状態を示す側面図
【図７】吸盤型の固定具を利用して固定した状態を示す側面図
【図８】タオル収納ケースの別の実施形態を示す側面図
【図９】図８のタオル収納ケースの蓋を開いた状態を示す斜視図
【発明を実施するための形態】
【００１５】  以下、タオル収納ケースを実施するための形態について図を参照し詳細に説明する。
【実施例１】
【００１６】  本実施形態のタオル収納ケース１は、図１に示されたように例えば、本体部１１と蓋体１２が繋がるヒンジ構造の支持点１７を軸に開口部１８を蓋体１２で開閉する。その為、蓋体は本体部から外れること無く開閉が可能になり、本体部と蓋体が別々になり、浴室内で散乱することなく、片手でも容易にタオル収納ケースの開閉を実施できる。また、ヒンジ構造としてはちょうつがいやプラスチック板屈曲部に凹溝を設けた構造が好ましい。【００１７】  汎用的に使用される横６０センチ縦１２０センチ程度のタオル７０を四つ折りにし、軽く丸めた状態で開口部１８から挿入する事が出来る。【００１８】  タオル７０挿入後、本体部１１と蓋体１２の接触面の縁に施されるシール材１４が浴室内で発生する水気や蒸気の侵入を防ぐ構造となる。この為、入浴後は、蓋体１２を開けてタオル７０を取り出すことにより浴室内で乾いたタオル７０が使用できる。シール材１４は蓋体１２の上記接地面に施すが本体部の開口縁１９に施しても良い。又、蓋体１２と本体１１の両面にシール材を設けても良い。【００１９】  尚、本体部１１と蓋体１２が重なる部分には爪と受けがかみ合う構造により蓋体１２が安易に開口することを防止しても良い。また、収納したタオル７０を取り出す際はプラスチックの弾性を利用し蓋体１２を軽くつかみ引く事で爪が受けから外れて、タオル７０を取り出すことが可能である。また、爪と受けに限らず、例えば、バックルなど他の構造を使用しても良い。【００２０】  また、本体部１１の中部と下部の間に支持点１７を設け蓋体１２が開閉可能な状態にする。尚、蓋体１２と本体部１１の支持点１７は本体部１１の下から５分の１から５分の２の位置に設けることが好ましい。これによりタオル７０の収納及び取出しが容易になるため、この位置が好ましい。開口部１８は支持点１７から本体部１１の上端に至るまで設けられる。【００２１】  更に、浴室の壁面２０に設けられた既設のタオル掛け３０（図５）のバー３１に対して本体部１１に一体的に連結された固定具１３を吊下げて、タオル収納ケース１を浴室内に配置する事が出来る。固定具１３は、図５のバー３１に吊下げて使用する事が出来る鉤爪状である。【００２２】  また、タオル収納ケース１は、図５のタオル掛けが設けられていない壁面にも配置する事ができる。例えば、図７に示した吸盤２３を介してタオル収納ケースを固定すれば良い。【００２３】  タオル収納ケース１の全体は成型が容易であるプラスチック素材や水に対し濡れない布、例えば、布の上に樹脂コーティングしたものでも良い。浴室内で使用する容器として角が無く丸みを帯びている形状としても良い。また角を落としてあるので入浴者が接触しても不快感が少なく安全である。この様な素材で形成されているため、落下しても割れにくく安全である。また、角を落としてあるので落下させても安全である。【００２４】  タオル収納ケース１は、浴室に設けられている既設のタオル掛け３０（図５）のバー３１に対して吊下げた状態では、図６に示すようにバー３１に対して垂直に配置される縦長形状である。通常、バー３１に浴室用道具、例えばスポンジ等を吊下げるが、縦長形状のため邪魔にならず非常に省スペースに配置できる。【００２５】  入浴者は湯船につかる時に蓋体１２に設けられている報知器１５を押し、消費者庁が推奨する入浴時間１０分経過後に警告音が鳴るように設定する事ができる。これにより、予め設定した入浴時間が経過した事を入浴者に知らせる事ができる。報知器１５は蓋体１２の正面に配されているので、湯船につかる時に報知器１５を押しやすい。複雑な操作性を排除し誰にでも簡単にセットと解除が出来る。また、報知器１５の配置箇所は蓋体１２の正面以外でも良い。例えば、本体部１１でも好ましい。ただし、報知器１５の操作が容易に出来ることが前提とする。【００２６】  蓋体１２の報知器１５は、一度スイッチを押し設定時間経過後に警告音が鳴り、再度スイッチを押すと音が止まる。この様に報知器１５は簡単な操作性の為、特に高齢者の方に利用しやすい。欧米ではシャワーが主流の入浴スタイルであるのに対し、日本は湯船につかる入浴スタイルが主流である。入浴中に発生する事故のうち、長湯から居眠り等の意識障害を起こし、溺死に至る事故を未然に防ぐ事が出来る。【００２７】  また、報知器１５の警告音は、電子音、ブザー、ベル、メロディ等が好ましい。尚音量は、周囲の同居する家族にも聞こえる程度が好ましい。
【実施例２】
【００２８】  本実施形態のタオル収納ケース５は、横長形状であり、図９に示されたように例えば、本体部５１と蓋体５２が繋がる凹溝構造の支持点５７を軸に開口部５４を蓋体５２で開閉する。その為、蓋体５２は本体部５１と一体型となっている。この為、本体部５１と蓋体５２が別々になり、浴室内で散乱することなく、片手でも容易にタオル収納ケースの開閉を実施できる。【００２７】  また、本体部５１の開口部５４は、図８に示されたように、側面視において斜めに配置され、蓋体５２も斜辺５４ａを備えているため、開口部５４が広くなる。この様な形状にする事でタオル７０の収納、取出しがより簡単に実施できる。取付け等の内容については、実施例１と同様であるので説明は省略する。【００２９】  故に縦長形状、横長形状それぞれデザイン性に優れ様々なニーズに応える事が可能である。【００３０】  入浴中の事故は消費者庁高齢者入浴中の事故に関する注意喚起によると家庭の浴槽での溺死者数は１０年間で約７割増加し平成２６年に４８６６人となっている。また、厚生労働省の調査では救急車で搬送された患者数から推計した入浴中の事故死者数は、年間約１万９０００人とされている。この数字は平成２６年度の交通事故者数４１１３人を４倍以上と大幅に上回っている。【００３１】  また、様々な原因で発生する入浴中の事故の中に、寒暖差によるヒートショックが原因の事故がある。日本の高度成長期より住宅の内風呂が普及し、現在、より快適な入浴スタイルに成長を遂げてきた。しかし、一方で入浴中に発生する事故は、年々増加している。タオル収納ケースは、浴室内で温まった空気を利用し、浴室内で身体の拭取りが出来る。温まった身体は暖房設備の無い脱衣所に移動しても、身体に付着する水滴が無いため気化熱により奪われる体温が最小限に抑えられる。従って、入浴時の寒暖差により発生するヒートショックの事故回避に役立つ。【００３２】  また、入浴中の溺死事故に関しては、入浴時の気持ちよさから体温の上昇に伴い血管が拡張し脳に十分な酸素が行き渡らなくなり眠気が起こる。そして気絶状態となり水が気管に侵入したショックで心臓が止まってしまう事がある。その他、入浴時、身体に水圧がかかる静水圧作用が原因で発生する事故もあり、いずれも意識障害がきっかけで事故を引き起こす。タオル収納ケースには入浴時間の経過を知らせる報知器を備えており、本人にはもちろん、同居人にも知らせることで事故を未然に防ぐことに繋がる。【００３３】  今後日本が直面していく高齢化社会において、過去に発生した入浴時の事故を鑑みると従来の最新技術を駆使した住宅設備と並行し、ローコストでどんな家にも手軽で、即実行できる手段を提供する事ができる。
【符号の説明】
【００３４】１１、５１        本体部
１２、５２        蓋体
１３、２３、５３  固定部
１４、５４        シール材
５４ａ            斜辺
１５、５５        報知器
１６、５６        丸角
１７、５７        支持点
１８、５８        開口部
１９、５９        本体部開口縁
１                タオル収納ケースの縦長形状
５                タオル収納ケースの横長形状
２０              壁面
３０              既設のタオル掛け本体
３１              バー
３２              設置具
７０              タオル
【図１】
2019093089.tif 000003
【図２】
2019093089.tif 000004
【図３】
2019093089.tif 000005
【図４】
2019093089.tif 000006
【図５】
2019093089.tif 000007
【図６】
2019093089.tif 000008
【図７】
2019093089.tif 000009
【図８】
2019093089.tif 000010
【図９】
2019093089.tif 000011